(57)【要約】【課題】複数の筆記体を配設してなる多芯筆記具において、外径を大きくすることなく、グリップ部材の握り位置で感触（弾力）の異なる多芯筆記具を提供する。【解決手段】軸筒の把持部に、外部形状が円柱状及び内部形状が軸筒と同形のグリップ部材を被覆するとともに、前記軸筒内に複数の筆記体を配設し、ノック機構を操作することにより、前記筆記体の筆記先端部を、軸筒の先端開口部から選択的に出没可能な多芯筆記具であって、前記軸筒の把持部が、前記筆記体の数と同数又はそれ以上の角部を有する略多角形筒状体とする。【選択図】　　　図１
2004058549.tif 000002
【特許請求の範囲】
【請求項１】
軸筒の把持部に、外部形状が円柱状及び内部形状が軸筒と同形のグリップ部材を被覆するとともに、前記軸筒内に複数の筆記体を配設し、ノック機構を操作することにより、前記筆記体の筆記先端部を、軸筒の先端開口部から選択的に出没可能な多芯筆記具であって、前記軸筒の把持部が、前記筆記体の数と同数又はそれ以上の角部を有する略多角形筒状体であることを特徴とする多芯筆記具。
【請求項２】
前記軸筒の後端部に、該軸筒に対し回転可能に、クリップ部材を付設したことを特徴とする請求項１に記載の多芯筆記具。
【発明の詳細な説明】
【０００１】
【発明の属する技術分野】
本発明は、軸筒内に複数の筆記体を配設してなる多芯筆記具に関し、前記筆記体の筆記先端部を、前記軸筒の先端開口部から選択的に出没可能な多芯筆記具に関する。
【０００２】
【従来の技術】
従来から、例えば、図４から図７に示すように前軸５２の把持部に、円筒形状のグリップ部材６８を被覆し、前軸５２、前軸５２に螺合した後軸５３、及び後軸５３に、クリップ部材を一体に形成した摺動体ケース５４を装着することによって構成された軸筒内に複数の筆記体８、９、１０を配設し、摺動体５、６、７の隆起部５ａ、６ａ、７ａを前軸５２の先端開口部５２ａ方向に前進せしめることで、摺動体５、６、７の係止部５ｂ、６ｂ、７ｂが摺動体ケース５４の軸心近傍に形成した被係止部５４ｂに係止することにより、筆記体８、９、１０の筆記先端部１４、１５、１６を前軸５２の先端開口部５２ａから突出状態で維持可能であって、筆記体８、９、１０の筆記先端部１４、１５、１６を選択的に出没可能なスライド式の多芯筆記具５１等、多芯筆記具についてはよく知られている。
【０００３】
【発明が解決しようとする課題】
しかし、従来の多芯筆記具は、軸筒が円筒形であること、筆記体を複数配設するので、軸心に対し偏心した位置に筆記体が位置すること等から、軸筒の内径を大きくする必要があるため、外径も大きくなってしまう。
【０００４】
ところで、軸筒の把持部に被覆したグリップ部材を握った時の感触、いわゆる弾力は、グリップ部材の硬度によっても異なるが、グリップ部材の肉厚の差によって大きく異なる。こうしたグリップ部材の肉厚を変化した筆記具として、例えば、円筒形の軸筒に、三角形筒状体等の異形のグリップを装着することでグリップ部材の肉厚が変化しているものは知られている。また、軸筒の外壁にリブを複数形成することで、グリップ部材と軸筒に空隙部を形成し、グリップ部材が該空隙部によって弾性変形することで、握った時の弾力が相違する筆記具も知られている。
【０００５】
しかし、前記したように外部形状を三角形等の異形にすると、筆記具を握る位置は、例えば三角状の場合には角部と角部を結ぶ辺上が安定して握れる等、グリップ部材の肉厚は変化しても、外部形状によって筆記具を握る位置は一定になってしまう。また、軸筒の外壁にリブを複数形成し、グリップ部材と軸筒に空隙部を形成する等、構造による弾力の感触は、グリップ部材自体が持つ弾力とは異なるものであり、さらに、空隙部を形成すため軸筒の外壁にリブを複数形成するので、さらに外径が大きくなってしまうという問題があった。
【０００６】
本発明は上記問題を鑑み、２本以上の筆記体を配設してなる多芯筆記具において、外径を大きくすることなく、グリップ部材の握り位置で感触（弾力）の異なる多芯筆記具を提供することを目的とするものである。
【０００７】
【課題を解決するための手段】
本発明は、軸筒の把持部に、外部形状が円柱状及び内部形状が軸筒と同形のグリップ部材を被覆するとともに、前記軸筒内に複数の筆記体を配設し、ノック機構を操作することにより、前記筆記体の筆記先端部を、軸筒の先端開口部から選択的に出没可能な多芯筆記具であって、前記軸筒の把持部が、前記筆記体の数と同数又はそれ以上の角部を有する略多角形筒状体とするものである。
【０００８】
また、前記軸筒の後端部に、該軸筒に対し回転可能に、クリップ部材を付設するものである。
【０００９】
【発明の実施の形態】
本発明の実施の形態を、図面を用いて説明する。同部材、同箇所を示すものに対しては、同符号を付してある。
図１から図４に示す多芯筆記具１は、前軸２の後端に後軸３を装着し、さらに後軸３に摺動体ケース４を装着して軸筒を構成し、軸筒内に、筆記体８を、コイルスプリング１７により後方に付勢させ収納している。筆記体８は、インキ収容筒１１の先端開口部に、ボール（図示せず）を回転自在に抱持したチップ部材を筆記先端部１４として圧入装着したボールペン体である。また、筆記体８のインキ収容筒１１の後端開口部には、操作体となる摺動体５の先端部を圧入装着し、隆起部５ａが、摺動体ケース４に形成した係止窓４ａから摺動体ケース４の外周面より突出するような状態に保持する。また、摺動体ケース４にはクリップ部材１９が摺動体ケース４に対し回転可能（矢印Ｆ及び／又はＧ方向）に付設してある。また、筆記体８と同様にして、軸筒内に筆記体８とは色の異なる筆記体９、１０を配設してあり、筆記体９、１０にはインキ収容筒１２、１３、筆記先端部１５、１６、摺動体６、７を付設したボールペン体を、コイルスプリング（図示せず）により後方に付勢させ収納している、３色ボールペンの多芯筆記具１である。
【００１０】
筆記体８を使用する際には、摺動体５の隆起部５ａを前軸２の先端開口部２ａ方向に前進せしめることで、摺動体５の係止部５ｂが摺動体ケース４の軸心近傍に形成した被係止部４ｂに係止することにより、筆記体８の筆記先端部１４を前軸２の先端開口部２ａから突出状態で維持する。他の筆記体９を使用する際には、筆記体９に付設した摺動体６の隆起部６ａを前軸２の先端開口部２ａ方向に前進せしめることで、摺動体６の解除突起６ｃが、被係止部４ｂに係止している摺動体５の突起部５ｃを押し出し、係止部５ｂと被係止部４ｂとの係止を解除させ、さらに筆記体摺動体６の隆起部６ａを前軸の先端開口部２ａ方向に前進せしめることで、摺動体６の係止部６ｂが被係止部４ｂに係止し、筆記体９の筆記先端部１５の突出状態を維持して使用することができる。
【００１１】
前軸２の把持部は筆記体８、９、１０が３本であるため、略三角形筒状体からなり、この前軸２の把持部に、外部形状が円柱状のグリップ部材１８を二色成形により被覆している。外部形状が円柱状及び内部形状が前軸と同形のグリップ部材１８を被覆することにより、前軸２の角部に位置する部分が最小部分の肉厚Ｋとなり、最大部分の肉厚Ｌと差（Ｌ＞Ｋ）を得られる。本発明においてグリップ部材１８の被覆方法は特に限定されないが、外部形状が円柱状及び内部形状が軸筒と同形のグリップ部材は、二色成形により簡単に被覆することができる。
【００１２】
図８に示すように、本発明の多芯筆記具１は、前軸２の把持部の肉厚Ｊ、最小部分の肉厚Ｋ、外径Ｈ、３本の筆記体８、９、１０の外接円Ｍが同じ従来の多芯筆記具５１に比べ、グリップ部材１８の外径Ｈを変化することなく、グリップ部材１８の肉厚に変化及び従来の多芯筆記具のグリップ部材５８の肉厚Ｋに比べグリップ部材１８の肉厚Ｌを多く（Ｌ＞Ｋ）形成することができる。
【００１３】
また、クリップ部材１９を付設すると、グリップ部材１８を握る位置が制限されてしまうため、クリップ部材１９を摺動体ケース４に対し回転可能（矢印Ｆ及び／又はＧ方向）に付設することによって、使用者の好みに合ったグリップ部材１８の位置に対応してクリップ部材１９の位置を回転させておけばよい。
【００１４】
尚、本実施の形態では便宜上、スライド式の出没機構を用いているが、筆記体の筆記先端部を、軸筒の先端開口部から選択的に出没可能であれば、出没機構は特に限定されるものでない。
【００１５】
また、本発明の多芯筆記具に用いる筆記体は、ボールペン体やシャープペンシル体等、特に限定されるものではなく、さらに、前述した実施の形態のボールペン体が３本の多芯筆記具に限定されるものではなく、ボールペン体を２本や４本、シャープペンシル１本とボールペン２本、あるいはシャープペンシル３本など、筆記体を２本以上配設する一般に知られている多芯筆記具に用いることができる。
【００１６】
【発明の効果】
本発明は、前述したような構成なので、２本以上の筆記体を配設してなる多芯筆記具において、外径を大きくすることなく、グリップ部材の握り位置で感触（弾力）の異なる多芯筆記具を提供することができた。
【図面の簡単な説明】
【図１】本発明の実施の形態における多芯筆記具を示す縦断面図である。
【図２】図１における筆記体を突出した状態を示す縦断面図である。
【図３】図１におけるＡ−Ａ拡大断面図である。
【図４】３本の筆記体を示した拡大要部断面図である。
【図５】従来の多芯筆記具を示す縦断面図である。
【図６】図５における筆記体を突出した状態を示す縦断面図である。
【図７】図５におけるＢ−Ｂ拡大断面図である。
【図８】図１におけるＡ−Ａ拡大断面図と図５におけるＢ−Ｂ拡大断面図を比較した図である。
【符号の説明】
１　多芯筆記具
２　前軸
２ａ　先端開口部
３　後軸
４　摺動体ケース
４ａ　窓部
４ｂ　被係止部
５、６、７　摺動体
５ａ、６ａ、７ａ　隆起部
５ｂ、６ｂ、７ｂ　係止部
５ｃ、６ｃ、７ｃ　突起部
８、９、１０　筆記体
１１、１２、１３　インキ収容管
１４、１５、１６　筆記先端部
１７　コイルスプリング
１８　グリップ部材
１９　クリップ部材
Ｈ　グリップ部材外径
Ｊ　把持部の肉厚
Ｋ　最小部分の肉厚
Ｌ　最大部分の肉厚
Ｍ　筆記体の外接円
【図１】
2004058549.tif 000003
【図２】
2004058549.tif 000004
【図３】
2004058549.tif 000005
【図４】
2004058549.tif 000006
【図５】
2004058549.tif 000007
【図６】
2004058549.tif 000008
【図７】
2004058549.tif 000009
【図８】
2004058549.tif 000010